(57)【要約】【課題】自然な形状の天板を用いて、天板付き家具を見栄えよく配置できるようにすることと、天板付き家具の移動等による隙間の発生を目立ちにくくすることと、天板付き家具相互、又は天板付き家具と間仕切装置等の他の家具や壁体との間に天板の上方と下方とを連通する配線挿通空間を形成することとを全て達成する。【解決手段】天板１と、この天板１を支持する脚構造体２とを具備する天板付き家具Ｔ１の、前記脚構造体２のうち床面に接する部位に対する水平方向の相対位置が固定された部位であるアジャスタ５の外縁の少なくとも一部を、平面視した場合に前記天板１の外縁１ａ〜１ｄより外方に位置付ける。【選択図】図３
2004166936.tif 000002
【特許請求の範囲】
【請求項１】
天板と、この天板を支持する脚構造体とを具備し、前記脚構造体のうち床面に接する部位に対する水平方向の相対位置が固定された部位の外縁の少なくとも一部を、平面視した場合に前記天板の外縁より外方に位置付けていることを特徴とする天板付き家具。
【請求項２】
前記脚構造体がその下端部に床面に接する接地体を具備し、前記接地体の外縁の少なくとも一部を、平面視した場合に前記天板の外縁より外方に位置付けていることを特徴とする請求項１記載の天板付き家具。
【請求項３】
前記接地体が、アジャスタ本体と、このアジャスタ本体を支持しその周囲を包囲する軟質材料からなるアジャスタバンパとを具備するアジャスタであって、前記アジャスタバンパの外縁の少なくとも一部を、平面視した場合に前記天板の外縁より外方に位置付けていることを特徴とする請求項２記載の天板付き家具。
【請求項４】
前記軟質材料が軟質樹脂であることを特徴とする請求項３記載の天板付き家具。
【請求項５】
前記脚構造体が、天板を支持し隅部を前記天板の外縁部の内方近傍に位置付けた略矩形状をなす枠体をさらに有し、前記枠体の隅部からさらに外方に突出した位置に前記接地体を設けていることを特徴とする請求項１、２、３又は４記載の天板付き家具。
【請求項６】
前記天板の使用端縁以外の端縁を外方に膨出する形状に形成し、前記脚構造体のうち床面に接する部位に対する水平方向の相対位置が固定された部位の外縁の少なくとも一部を、平面視した場合にこの天板の膨出する端縁よりも外方に位置付けていることを特徴とする請求項１、２、３、４又は５記載の天板付き家具。
【請求項７】
前記脚構造体に、天板の床面からの高さを変更させる高さ調節機構を設けていることを特徴とする請求項１、２、３、４、５又は６記載の天板付き家具。
【請求項８】
前記脚構造体のうち床面に接する部位に対する水平方向の相対位置が固定された部位の外縁の二箇所を平面視した場合にこの天板の端縁よりも外方に位置付け、この二箇所を結ぶ直線の内方に前記天板を位置付けていることを特徴とする請求項１、２、３、４、５、６又は７記載の天板付き家具。
【発明の詳細な説明】
【０００１】
【発明の属する技術分野】
本発明は、オフィス等において用いられる天板付き家具に関する。
【０００２】
【従来の技術】
従来、複数の天板付き家具を配置するにあたっては、相互に隣接する天板付き家具の矩形状をなす天板の使用端縁以外の端縁を隙間なく衝き当てるように配置することが多い。また、間仕切装置等他の家具をも配置するとともに、天板付き家具の矩形状をなす天板の使用端縁以外の端縁を前記他の家具に隙間なく衝き当てるように配置することも多い。
【０００３】
さらに、天板を前記間仕切装置や壁体等の当接対象物に衝き当てたときに天板と当接対象物との間に配線挿通空間を形成させるべく、天板の縁部に隆起部を設けている天板付き家具も考えられているが、このような天板付き家具も、前記隆起部を当接対象物に隙間なく衝き当てるように配置するようにしている。（例えば、特許文献１参照。）
【０００４】
【特許文献１】
特開平９−２９９１５１号公報（第３頁、図８〜図１４）
【０００５】
【発明が解決しようとする課題】
ところが、このように天板付き家具相互間、又は天板付き家具と前記間仕切装置等を隙間なく衝き当てて配置させたのでは、天板にもたれかかる等の作用により天板付き家具が移動し、これに伴い天板付き家具の端縁間に不自然な隙間が発生することがある。このとき、見栄えが悪くなる不具合が発生する。また、異形状の天板や高さ位置の異なる天板を隣接させて配置すると、この部分に隙間が発生することがあり、この場合も見栄えが悪くなる不具合が発生する。さらに、特許文献１のように天板の縁部に隆起部を設けて天板と当接対象物との間に配線挿通空間を形成させる構成では、このような天板付き家具を単独で当接対象物に衝き当てることなく用いる場合に前記隆起部の存在が不自然に思われる場合もあり得る。
【０００６】
本発明は、以上に述べた課題を解決し、天板付き家具を見栄えよく配置する位置決めを容易に行うこと、天板付き家具の移動等に伴い発生する隙間を目立ちにくくすること、及びより自然な形状の天板により配線挿通空間を容易に確保することの全てを容易に達成させるべく構成するものである。
【０００７】
【課題を解決するための手段】
すなわち本発明に係る天板付き家具は、天板と、この天板を支持する脚構造体とを具備し、前記脚構造体のうち床面に接する部位に対する水平方向の相対位置が固定された部位の外縁の少なくとも一部を、平面視した場合に前記天板の外縁より外方に位置付けていることを特徴とする。
【０００８】
このようなものであれば、平面視した場合に前記天板の外縁より外方に位置付けている部位を隣接配置する家具や壁体に衝き当て、この部位の上方と天板との間に隙間を形成することができる。特に、同一形状をなす天板付き家具や間仕切装置や壁体等に衝き当てて使用する場合、平面視した場合に前記天板の外縁より外方に位置付けている部位同士を衝き当てるようにしてこの部位を位置決めに利用し、天板つき家具を見栄えよく配置できる。さらに、このように隣接配置する家具や壁体に衝き当てて配置すると、前記家具や壁体に衝き当てている部位の上方と天板との間に隙間が形成されるので、天板にもたれかかる等の作用によりこのような天板付き家具が移動しても、前記隙間の形状が変化するだけであり、天板同士及び天板と前記間仕切装置や壁体等とを隙間なく衝き当てる態様と比較して隙間を目立ちにくくできる。また、当接対象物に衝き当てている部位の上方と天板との間に隙間が形成されることから、異形状の天板や高さ位置の異なる天板を隣接させて配置したさいに発生する隙間も目立たなくできる。加えて、天板に当接対象物に衝き当てるための隆起部を特別に設けることなくこの部位の近傍に天板の上方と下方を連通する配線挿通空間として利用できる隙間を形成するようにできる。すなわち、見栄えよい配置を行うことと、天板にもたれかかる等の作用及び異形状の天板や高さ位置の異なる天板を隣接させて配置すること等により発生する隙間を目立ちにくくすることと、より自然な形状の天板による配線挿通空間の確保とを全て達成できるようになる。
【０００９】
前記脚構造体がその下端部に床面に接する接地体を具備し、前記接地体の外縁の少なくとも一部を、平面視した場合に前記天板の外縁より外方に位置付けているものであれば、接地体以外の部分は従来用いられてきたものを流用でき、最小限の設計変更で上述した効果を実現できる。なお、本発明の接地体としては、天板つき家具を水平方向に移動可能に構成するキャスタを用いてもよい。
【００１０】
特に、前記接地体が、アジャスタ本体と、このアジャスタ本体を支持しその周囲を包囲する軟質材料からなるアジャスタバンパとを具備するアジャスタであって、前記アジャスタバンパの外縁の少なくとも一部を、平面視した場合に前記天板の外縁より外方に位置付けているものであれば、軟質材料からなるアジャスタバンパを隣接配置する他の家具や壁体に衝き当て、前記他の家具や壁体を傷つけないようにできる。
【００１１】
さらに、前記軟質材料が軟質樹脂であれば、天板にもたれかかる等、水平方向への移動をもたらす作用に対する摩擦を大きくできるので、床面及び他の家具に対する位置をずれにくくできる。
【００１２】
前記脚構造体が、天板を支持し隅部を前記天板の外縁部の内方近傍に位置付けた略矩形状をなす枠体をさらに有し、前記枠体の隅部からさらに外方に突出した位置に前記接地体を設けているものであれば、天板を支持させる枠体を有するこの種の天板付き家具に対して、最小限の設計変更により上述した効果を実現できる。
【００１３】
天板と隣接配置する他の家具や壁体との間の隙間を目立たなくして配線挿通空間を確保するには、前記天板の使用端縁以外の端縁を外方に膨出する形状に形成し、前記脚構造体のうち床面に接する部位に対する水平方向の相対位置が固定された部位の外縁の少なくとも一部を、平面視した場合にこの天板の膨出する端縁よりも外方に位置付ければよい。前記脚構造体のうち床面に接する部位に対する水平方向の相対位置が固定された部位の外縁の少なくとも一部はこの端縁よりも外方に位置付けているのでこの部分の近傍には配線挿通空間として使用できる隙間が形成される一方、天板の使用端縁以外の端縁を外方に膨出する形状に形成しているので膨出させる幅だけは隙間を埋めることができるからである。
【００１４】
前記脚構造体に、天板の床面からの高さを変更させる高さ調節機構を設けているものであれば、使用者の体格などに応じて天板の床面からの高さを変更できるとともに、前記脚構造体のうち床面に接する部位に対する水平方向の相対位置が固定された部位の外縁の少なくとも一部を、平面視した場合に前記天板の外縁より外方に位置付けているので、天板を衝き当てなくても隣接配置する天板付き家具のこの部分を相互に衝き当てて位置決めを行うことができるようになる。
【００１５】
さらに、幅方向に連続する配線挿通空間を簡単な構成で形成するには、前記脚構造体のうち床面に接する部位に対する水平方向の相対位置が固定された部位の外縁の二箇所を平面視した場合にこの天板の端縁よりも外方に位置付け、この二箇所を結ぶ直線の内方に前記天板を位置付ければよい。このように構成すれば前記直線と天板との間に連続した隙間が形成されるからである。
【００１６】
【発明の実施の形態】
以下、本発明の第１実施形態を、図面を参照して説明する。
【００１７】
本実施形態に係る天板付き家具Ｔ１は、図１に全体図、図２に分解斜視図、図３に平面図を示すように、天板１と、この天板１を支持する脚構造体２とを具備する。
【００１８】
前記天板１は、本実施形態では前記図３及びこの天板の平面図である図４に示すように、隅部１ｄに丸みを設けた矩形状で、使用端縁１ａを内方に窪ませているとともに、反使用端縁１ｂ及び側端縁１ｃを外方に膨出させている。
【００１９】
より具体的には、前記使用端縁１ａの湾曲形状は、前記図３及び図４に示すように、使用端縁１ａの両側端部及び幅方向中央部を通過する部分円弧を描くものであり、本実施形態では両端部よりも幅方向中央部を所定距離、本実施形態では約１０ｍｍ程度反使用端縁１ｂ側に位置付けている。前記反使用端縁１ｂの湾曲形状は、前記図３及び図４に示すように、反使用端縁１ｂの両側端部及び幅方向中央部を通過する部分円弧を描くものであり、幅方向中央部よりも両端部を所定距離、本実施形態では約１０ｍｍ程度使用端縁１ａ側に位置付けている。左側の側端縁１ｃは、前記図３及び図４に示すように、天板１の右側方に中心（図示省略）を有する所定半径の円弧の一部に概ね対応する形状にしてあり、奥行き方向中央部を前端及び後端よりも約１０ｍｍ程度左側方に位置付けている。右側の側端縁１ｃは、これとは逆に、前記図３及び図４に示すように、天板１の左側方に中心（図示省略）を有する所定半径の円弧の一部に概ね対応する形状にしてあり、奥行き方向中央部を前端及び後端よりも所定距離、本実施形態では約１０ｍｍ程度右側方に位置付けている。そして、天板１の隅部１ｄ、すなわち各側端縁１ｃの前端と使用端縁１ａの両側端との間の領域、及び各側端縁１ｃの後端と反使用端縁１ｂの両側端との間の領域は、本実施形態では各端縁を滑らかに連続させ、約９０度の部分円弧状をなすようにしている。
【００２０】
前記脚構造体２は、図２に示すように、天板１を支持する枠体３と、この枠体３から略鉛直下方に延びる脚４と、前記脚４の下端部に設けられ、床面に接する部位を有する接地体たるアジャスタ５とを具備する。
【００２１】
前記枠体３は、幅方向に延びる第１横架材３１と、奥行き方向に延びる第２横架材３２と、隅部に配置し、前記第１横架材と前記第２横架材とを接続するコーナー部材３３とを備えていて、全体としては略矩形状をなす。前記第１横架材３１及び前記第２横架材３２は、同一の断面形状を有し、長手方向に連続する中空部を備えている。前記コーナー部材３３は、図２に示すように、略正方形の板状をなす本体３３１と、この本体３３１から天板１の幅方向に突出して設けられ、前記第１横架材３１の中空部に挿入してこのコーナー部材３３と第１横架材３１とを接続する第１接続部３３２と、前記本体３３１から天板１の奥行き方向に突出して設けられ、前記第２横架材３２の中空部に挿入してこのコーナー部材３３と第２横架材３２とを接続する第２接続部３３３と、前記本体３３１から外方に突出して設けられ、下方に前記脚４を取り付ける脚取付部３３４と、前記本体３３１と前記天板１との間に位置させるカバー３３５とを有する。前記第１接続部３３２及び前記第２接続部３３３には、それぞれ雌ねじ穴３３２ａ、３３３ａが形成してあり、前記第１横架材３１及び前記第２横架材３２に形成した図示しないネジ挿通孔とそれぞれ重合させて、ネジ部材Ｂ０により前記第１横架材３１及び前記第２横架材３２をこのコーナー部材３３に固定するようにしている。前記脚取付部３３４は、その突出端の底面に、鉛直方向に垂下させた円柱状をなす下向き凸部３３４ａを設けており、この下向き凸部３３４ａの中心軸が前記天板１の隅部１ｄに形成した円弧の中心近傍を通過するようにしているとともに、この下向き凸部３３４ａに取り付ける脚支柱４（アウター部材４１及びインナー部材４２を含む）も平面視した場合に上方から天板１に隠されるような寸法としている。さらに、この下向き凸部３３４ａにはねじ山を形成していて、後述する脚支柱４を構成する丸パイプ状のアウター部材４１の上端部４１ｘをネジ作用により取り付けるようにしている。
【００２２】
ここで、図２及び図３に示すように、コーナー部材３３の本体３３１及び脚取付部３３４の上面には、それらに連続して上面を凹没させた凹陥部３３ｘを形成している一方、この凹陥部３３ｘの平面視形状及び深さにカバー３３５の平面視形状及び厚みを対応させている。すなわち、カバー３３５は、コーナー部材３３の本体３３１の凹陥部３３ｘに上方から挿入されることになるが、このとき、カバー３３５の中央部にねじ挿通孔３３５ａを形成するとともに、さらにそれらに対応させて前記本体３３１の中央部に上方へ開口するねじ孔３３１ａを形成し、カバー３３５の上面側からねじ挿通孔３３５ａにそれぞれ挿入したボルトＢ１を、対応する前記本体３３１のねじ孔３３１ａに締着し固定することによって、カバー３３５を前記本体３３１に取り付けるようにしている。なお、カバー３３５の上面にボルトＢ１の頭部を突出させないために、ねじ挿通孔３３５ａの周囲に、上方へ開口しボルトＢ１の頭部を収容可能なザグリ穴３３５ｂを形成している。また、前記脚取付部３３４には、下向き凸部３３４ａの中央を通り上方に開口するねじ孔３３４ｂが形成してあり、このねじ孔３３４ｂに対応させてカバー３３５にねじ挿通孔３３５ｃを形成し、さらに天板１の隅部１ｄ近傍にもねじ挿通孔１ｘを形成してある。そして、天板１の上方からねじ挿通孔１ｘに挿入したボルトＢ２をカバー３３５のねじ挿通孔３３５ｃを通じて脚取付部３３４のねじ孔３３４ｂに締着することによって、天板１、カバー３３５及び脚取付部３３４を相互に固定するようにしている。なお、天板１の上面にボルトＢ２の頭部を突出させないために、ねじ挿通孔１ｘの周囲には、上方へ開口しボルトＢ２の頭部を収容し得るザグリ穴１ｙを形成している。
【００２３】
前記脚４は、起立姿勢で配置され高さ方向に連続する中空部４ｘを有するアウター部材４１と、このアウター部材４１に挿入して高さ方向に突没可能に配置され、高さ方向に離間させた複数の係合凹部４２１を形成したインナー部材４２と、インナー部材４２の外面に外方から装着することにより前記インナー部材４２と前記アウター部材４１との相対移動を規制するストッパ部材４３と、前記インナー部材の下端に設けたアジャスタ受け４４とを具備し、天板１の床面からの高さ位置を変更させる高さ調節機構ＨＡを備えている。そして、この脚４は、平面視した場合に天板１の隅部の内方近傍となる位置に位置付けている。
【００２４】
さらに詳述すると、前記アウター部材４１は、金属製、本実施形態ではアルミ製のパイプ状をなす部材であり、高さ方向に連続する中空部を有する。そして、中空部の下端から前記インナー部材４２を挿入するようにしているとともに、上述したようにその中空部の上端部４１ｘを前記脚取付部３３４にネジ作用により取り付けるようにしている。前記インナー部材４２も金属製のパイプ状をなす部材であり、高さ方向に連続する中空部を有する。また、このインナー部材４２の外径は、前記アウター部材４１の内径と略一致させてある。さらに、前記インナー部材４２には、同一の高さ位置に周方向に離間させて複数形成した前記係合凹部４２ａの組を、高さ方向において離間させて複数形成している。前記係合凹部４２ａ内には、この係合凹部４２ａを通じて前記中空部内と外部とを遮断する底部（図示略）を設けている。さらに、前記係合凹部４２ａの底部の外方に露出した面に、前記天板１の床面からの高さ寸法を表示し得るように構成した表示部（図示略）を設けていて、この表示部に前記天板１の床面からの高さ寸法を表示している。
【００２５】
前記ストッパ部材４３は、本実施形態では樹脂により形成していて、前記係合凹部４２ａと係合可能な係合凸部４３１を前記係合凹部の組４２ａに対応させて複数形成している。さらにこのストッパ部材４３は、一部を開放した概略環状をなす形状を有し弾性変形可能なものであって、取り付け過程において弾性変形により開放部位４３ｘを拡縮し、その内周面４３ａを前記インナー部材４２の外周面に対面させて取り付けるようにしている。その内径は前記インナー部材４２の外径と略一致させてあり、その外径は前記アウター部材４１の外径よりも大きくしてある。そして、ストッパ部材４３に係合爪４３２を形成するとともに、アウター部材４１に係合溝４１ａを形成し、これら係合爪４３２と係合溝４１ａとを互いに係合可能にして、移動規制手段を形成している。すなわち、インナー部材４２に設けた係合凹部４２ａと、ストッパ部材４３に設けた係合凸部４３１と、前記移動規制手段とが、請求項中の高さ調節機構として機能する。
【００２６】
前記アジャスタ受け４４は、本実施形態では金属加工により形成され、前記インナー部材４２の下端に圧入するようにしている。より具体的には、その直径を前記インナー部材４２の外径に対応させた円盤状の下段部４４１と、その直径を前記インナー部材４２の内径に対応させた円柱状の中段部４４２と、前記中段部４４２よりも直径を小さく構成した円柱状の上段部４４３とを有し、下からこの順に上下に中心を一致させて一体をなして積層した構成を有している。また、下段部４４１の上端を前記インナー部材４２の下端に衝き当てる当たり面４４ｘとし、この当たり面４４ｘが前記インナー部材４２の下端に衝き当たる位置に取り付けるようにしている。そして、図５に示すように、底面の中央部に雌ねじ孔４４ａを設けていて、この雌ねじ孔４４ａに前記アジャスタ５の後述する雄ねじ部材５１１をねじ止めするとともに、ねじ作用により前記雄ねじ部材５１１を高さ方向に進退させ、前記アジャスタ５の後述する接地面５２ａをこのアジャスタ受け４４に対して高さ方向に進退させるようにしている。
【００２７】
前記アジャスタ５は、本実施形態では中央縦断面図を図６に示すように、アジャスタ本体５１と、このアジャスタ本体５１を支持しその周囲を包囲する軟質材料からなるアジャスタバンパ５２と、前記アジャスタ本体５１の上方に位置するアジャスタカバー５３とを具備する。
【００２８】
前記アジャスタ本体５１は、本実施形態では図６及び図７に示すように、鉛直上方に延びる雄ねじ部材５１１と、この雄ねじ部材５１１の下端部に固定して設けられ、円板状をなす板状部５１２とを備えている。前記板状部５１２には係合孔５１ａが設けられ、前記アジャスタバンパ５２に係合するようにしている。
【００２９】
前記アジャスタバンパ５２は、図６及び図８に示すように、その下面を床面に接する接地面５２ａとしているとともに、その上面に前記アジャスタ本体５１を挿入する挿入凹部５２ｂを備えていて、平面視円形状をなしている。このアジャスタバンパ５２の直径は、前記天板１の隅部１ｄの円弧形状の直径及び前記脚４のストッパ部材４３の直径よりも大きくしている。前記挿入凹部５２ｂには、その底面に係合突起５２１を、前記アジャスタ本体５１の板状部５１２に設けた係合孔５１ａと係り合うように設けてあるとともに、その内側面に前記アジャスタ本体５１の上方への抜脱を防ぐべく、前記アジャスタ本体５１の外縁部の上面に対向する位置に突条５２２を設けている。
【００３０】
前記アジャスタカバー５３は、図６及び図９に示すように、その平面視中央部に前記雄ねじ部材を挿し通すねじ挿通孔５３ａを設けているとともに、本実施形態では、その外縁部５３ｂを下方に伸ばしていて、この外縁部５３ｂを前記アジャスタバンパ５２の挿入凹部５２ｂの外縁部に設けたアジャスタカバー受け溝５２ｃに挿入して前記アジャスタバンパ５２に上方から取り付けるようにしている。なお、前記ねじ挿通孔５３ａは、本実施形態では前記雄ネジ部材５１１に対応する雌ねじ孔により構成している。
【００３１】
そして、このアジャスタ５は、平面視円形状をなし、前記脚４と同心に配置している。すなわち、このアジャスタの中心は、平面視した場合に前記天板１の隅部１ｄに形成した部分円弧の中心と略一致させている。
【００３２】
しかして本実施形態では、前記脚構造体２のうち床面に接する部位に対する水平方向の相対位置が固定された部位の外縁の少なくとも一部を、平面視した場合に前記天板１の外縁より外方に位置付けている。具体的には、前記図３に示すように、前記アジャスタ５の外縁部の一部を、平面視した場合に前記天板１の外縁１ａ〜１ｄより外方に位置付けている。さらに詳述すると、前記アジャスタ５の中心Ｏは上述したように平面視した場合に前記天板１の隅部１ｄに形成した部分円弧の中心と一致させている。そして、本実施形態では、上述したように、前記アジャスタ５の外縁に位置するアジャスタバンパ５２の直径を、前記天板１の隅部１ｄに形成した部分円弧の直径よりも大きく設定し、アジャスタ５の外縁（アジャスタバンパ５２の外縁）の一部を平面視した場合に前記隅部１ｄの外方に位置させている。さらに詳述すると、アジャスタバンパ５２の直径は、その外縁のうち天板１の外縁、本実施形態では前記隅部１ｄよりも外方に位置させている部分が、所定角度θ１、本実施形態では約１８０度の部分円弧をなすように設定している。
【００３３】
天板１の反使用端縁１ｂないし側端縁１ｃは前記したように部分円弧状をなし外方に膨出した形状をなしているが、前記アジャスタ５の外縁部は、いずれも平面視した場合に前記天板１の反使用端縁１ｂないし側端縁１ｃより外方に位置付けている。すなわち、前記反使用端縁１ｂは、平面視した場合にこの反使用端縁１ｂ側に位置する２つのアジャスタ５の外縁の共通接線Ｌ１よりは内側に位置するようにしているとともに、前記側端縁１ｃは、平面視した場合にこの側端縁１ｃ側に位置する２つのアジャスタ５の外縁の共通接線Ｌ２よりは内側に位置するようにしている。
【００３４】
このように構成した天板付き家具Ｔ１の反使用端１ｂ側に位置する２本の脚４の下端に設けたアジャスタ５の外縁部は、図１０に示すように同一に構成された天板付き家具Ｔ１の反使用端１ｂ側に位置する２本の脚４の下端に設けたアジャスタ５の外縁部と相互に衝き当てることにより、互いの相対位置を決定する位置決め機能を備えているとともに、天板１の反使用端縁１ｂ間に天板１の上方と下方とを連通する配線挿通空間Ｓ１を前記天板１の幅寸法全体に亘って形成する機能をも備えている。
【００３５】
さらに、図１０に示すように使用端縁１ａが略同一直線上にある状態で互いに隣接して配置する際に、互いに隣接する側端縁１ｃに位置する２本の脚４の下端に設けたアジャスタ５の外縁部を相互に衝き当てることにより、このアジャスタ５は互いの相対位置を決定する位置決め機能を備えているとともに、天板１の側端縁１ｃ間に天板１の上方と下方とを連通する配線挿通空間Ｓ２を形成する機能をも備えている。
【００３６】
また、図１１に示すように反使用端縁１ｂを対向させて配置した２台の天板付き家具Ｔ１の側端縁１ｃに、さらにもう１台の天板付き家具Ｔ１の反使用端縁１ｃを対向させて配置する際にも、このアジャスタ５は、相互に衝き当てて配置することにより、互いの相対位置を決定する位置決め機能を備えているとともに、対向する２台の天板付き家具Ｔ１の側端縁１ｃと、これら２台の家具の側端縁１ｃに反使用端縁１ｂを対向させて配置した天板付き家具Ｔ１の反使用端縁１ｂとの間に配線挿通空間Ｓ３を形成する機能をも備えている。
【００３７】
そして、このように構成した天板付き家具Ｔ１の反使用端１ｂを、他の家具たる間仕切パネル又は壁体等の当接対象物に対向させる場合、反使用端１ｂ側に位置する２本の脚４の下端に設けたアジャスタ５の外縁部を前記間仕切パネル又は壁体に当接させると、間仕切パネル又は壁体の天板付き家具Ｔ１に向かう面は、平面視した場合に前記反使用端縁１ｂ側に位置する２つのアジャスタ５の外縁の共通接線Ｌ１と一致する。すなわち図３に示すように、このアジャスタ５は、天板１の反使用端縁１ｂと間仕切パネル又は壁体との間に天板１の上方と下方とを連通する配線挿通空間として利用できる隙間Ｓ４を形成する機能を備えている。
【００３８】
加えて、このように構成した天板付き家具Ｔ１のアジャスタ５は、天板１の床面からの高さが異なる天板付き家具Ｔ１同士の位置決めを、図１２に示すようにアジャスタ５を相互に当接させることにより行うことができるようにする機能も備えている。また、このアジャスタ５は、上述したように、このように構成した天板付き家具Ｔ１を天板１の床面からの高さを同一にした状態で隣接させて配置しても、図１０及び図１２に示すように、相互に隣接する天板付き家具Ｔ１の天板１は当接しないようにする機能を備えている。このことから、前記アジャスタ５は、前記天板付き家具Ｔ１の天板１の床面からの高さを変更する際に天板１同士が当たらないようにする機能をも備えている。なお、図１２において手前側に位置する天板付き家具Ｔ１の天板１の床面からの高さを他方の天板付き家具Ｔ１の天板１と一致させた状態を想像線に示している。
【００３９】
以上のように構成した天板付き家具Ｔ１は、以上のように平面視した場合に天板１の外縁よりもアジャスタ５の外縁を外方に位置付けているので、これらアジャスタ５は、互いに当接させることによりの相対位置を決定する位置決め機能を備えているとともに、天板１の反使用端縁間に天板１の上方と下方とを連通する配線挿通空間Ｓ１を形成する機能をも備えている。したがって、互いの相対位置を決定する位置決め機能を利用してこのような天板付き家具Ｔ１を見栄えよく配置できるとともに、天板１に新たに配線挿通口を設けることなく前記配線挿通空間Ｓ１を形成できる。そして、天板１にもたれかかる等の作用により天板付き家具Ｔ１が移動しても、もともと前記配線挿通空間Ｓ１として使用できる隙間が形成されているので隙間の形状が変化するだけであり、天板１同士及び天板１と前記間仕切パネル６や壁体等とを隙間なく衝き当てる態様と比較して隙間を目立ちにくくできる。このように、見栄えよい配置と配線挿通空間の形成とを両立できる。
【００４０】
また、軟質材料によりアジャスタバンパ５２をアジャスタ５の外縁に形成し、このアジャスタバンパ５２の外縁を平面視した場合に天板１の外縁よりも外方に位置付けているので、アジャスタの外縁５を当接対象物に当接させる際にはアジャスタバンパ５２が衝き当たるようになり、このアジャスタ５を衝き当てる対象を傷つけにくくできる。加えて、このアジャスタバンパ５２を軟質樹脂により構成しているので、天板１にもたれかかる等、水平方向への移動をもたらす作用に対する摩擦を大きくでき、床面及び他の家具に対する位置をずれにくくできる。
【００４１】
さらに、天板１の使用端縁１ａ以外の端縁１ｂ、１ｃを外方に膨出する形状に形成しているので、天板１間ないし天板１と間仕切パネル６又は壁体との間に形成される隙間を小さくでき、隙間を目立ちにくくすることができる。
【００４２】
加えて、脚構造体２が天板１を支持し隅部を前記天板１の外縁部の内方近傍に位置付けた略矩形状をなす枠体３を有するとともに、この枠体３の隅部からさらに外方に突出させて脚４及びアジャスタ５を設けているので、接地体たるアジャスタ５を天板１の外方に突出させる形状を無理なく実現できる。
【００４３】
次に、本発明の第２実施形態を、図面を参照して説明する。なお、上述した第１実施形態に対応する部位には、同一の名称ないし符号を付している。
【００４４】
本実施形態に係る天板付き家具Ｔ２は、図１３に全体斜視図、図１４に平面図を示すように、天板１０と、この天板１０を支持する脚構造体２とを具備する。
【００４５】
前記天板１０は、本実施形態では図１５に平面図を示すように、隅部１０ｄに丸みを設けた略扇状である。使用端縁１０ａは、その両側端よりも中央部を反使用端側へ窪ませた連続する湾曲形状を有していて、具体的には部分円弧状をなす。反使用端縁１０ｂも、両側端よりも中央部を反使用端側へ膨出させた連続する湾曲形状を有していて、部分円弧状に構成している。側端縁１０ｃは、使用端縁１０ａ側から反使用端縁１０ｂ側へ斜め前方に延び、且ついずれも外側方へ膨出する連続した湾曲形状をなしている。具体的に左側の側縁１０ｃについてみると、この側縁１０ｃは、天板１０の右外側方に中心（図示省略）を有する所定半径の円弧の一部に概ね対応する形状にしてある。右側の側縁１０ｃは、これとは逆に、天板１０の左外側方に中心（図示省略）を有する所定半径の円弧の一部に概ね対応する形状にしてある。なお、天板１０の隅部１０ｄ、すなわち各側縁１０ｃの前端と使用端縁１０ａの両側端との間の領域、及び各側縁１０ｃの後端と反使用端縁１０ｂの両側端との間の領域は、それぞれ丸みを帯びさせることにより各端縁を滑らかに連続させている。
【００４６】
前記脚構造体２は、上述した第１実施形態に係る天板付き家具Ｔ２に用いたものと同様に構成しているので、詳細な説明は省略する。
【００４７】
しかして、この天板付き家具Ｔ２は、天板１０の反使用端縁１０ｂ側に位置する２つのアジャスタ５の外縁部を平面視した場合に天板１の反使用端縁１０ｂより外方に位置させている。具体的には、図１４に示すように、脚４の中心を平面視天板１の反使用端縁１０ｂの内方近傍に位置付けるとともに、前記第１実施形態と同様に、平面視した場合に脚４と同心にアジャスタ５を設け、前記アジャスタ５の外縁のうち天板１０の外縁１０ａ〜１０ｃよりも外方に位置させている部分が、所定角度θ２、本実施形態では約７８度の部分円弧をなすようにアジャスタ５の外縁の直径、すなわちアジャスタバンパ５２の直径を設定している。
【００４８】
この天板付き家具Ｔ２を、図１６に示すように、２つの間仕切要素６を１２０度の角度をなすように配置したコーナー部分に、反使用端１０ｂ側の２本の脚４を結ぶ線分の垂直二等分線が２つの間仕切要素６の境界を通過するように配置すると、アジャスタ５の外縁、すなわちアジャスタバンパ５２の外縁が前記間仕切要素６に衝き当たるとともに、天板１０の反使用端と前記間仕切要素６との間に両側方に連通した配線挿通空間Ｓ５が形成される。また、図１７に示すように、２つの間仕切要素６を１３５度の角度をなすように配置したコーナー部分に、反使用端１０ｂ側の２本の脚４を結ぶ線分の垂直二等分線が２つの間仕切要素６の境界を通過するように配置しても、アジャスタ５の外縁、すなわちアジャスタバンパ５２の外縁が前記間仕切要素６に衝き当たるとともに、天板１０の反使用端１０ｂと前記間仕切要素６との間に両側方に連通した配線挿通空間Ｓ６が形成される。さらに、これら２つのアジャスタ５の外縁はそれぞれ間仕切要素６に衝き当てることにより、この天板付き家具Ｔ２の位置決めを行う機能を備えている。なお、前記図１６及び図１７において、間仕切要素６は、天板付き家具Ｔ１、Ｔ２に対向する面のみを想像線により示している。
【００４９】
すなわち、本実施形態に係る天板付き家具Ｔ２も、２つの間仕切要素６を所定の角度をなすように配置したコーナー部分に配置すると、第１実施形態で述べた天板付き家具Ｔ２を通常の壁体又は間仕切要素６に反使用端縁１０ｂを対向させて配置した場合と同様の効果が得られる。
【００５０】
さらに、図１６のように配置した天板付き家具Ｔ２に、上述した第１実施形態に係る天板付き家具Ｔ１を隣接させて配置すると、図１８に示すように、天板付き家具Ｔ１の天板１の側端縁１ｃと、天板付き家具Ｔ２の天板１０の側端縁１０ｃとの間に隙間Ｓ７が形成される。しかし、上述したように天板付き家具Ｔ１の天板１の反使用端縁１ｂ及び天板付き家具Ｔ２の天板１０の反使用端縁１０ｂと、間仕切要素６との間にもそれぞれ連続する隙間Ｓ４、Ｓ５が形成される。さらに前記天板付き家具Ｔ１の前記天板付き家具Ｔ２を配置したのと反対側の側方に、さらに前記天板付き家具Ｔ１を天板１の側端縁１ｃ同士を対向させて配置しても、上述したように前記側端縁１ｃ間に隙間Ｓ２が形成される。すなわち、天板付き家具Ｔ１の側端縁１ｃ間、天板付き家具Ｔ１の天板１の反使用端縁１ｂ及び天板付き家具Ｔ２の天板１０の反使用端縁１０ｂと、間仕切要素６との間にも隙間が形成されるので、天板付き家具Ｔ１の天板１の側端縁１ｃと、天板付き家具Ｔ２の天板１０の側端縁１０ｃとの間に形成される隙間Ｓ７を目立たないようにする効果も得られる。また、本実施形態では、２つの間仕切要素６のなす角が１２０度以外、例えば１３５度である場合も、天板付き家具Ｔ１の天板１の側端縁１ｃと、天板付き家具Ｔ２の天板１０の側端縁１０ｃとの間に隙間が形成される。しかし、この場合も、天板付き家具Ｔ１の天板１の反使用端縁１ｂ及び天板付き家具Ｔ２の天板１０の反使用端縁１０ｂと、間仕切要素６との間に連続する隙間Ｓ４、Ｓ５が形成されるので、天板付き家具Ｔ１の天板１の側端縁１ｃと、天板付き家具Ｔ２の天板１０の側端縁１０ｃとの間に形成される隙間Ｓ７を目立たないようにする効果も同様に得られる。なお、前記図１８では、間仕切要素６は、天板付き家具Ｔ１、Ｔ２に対向する面のみを想像線により示している。
【００５１】
なお、本発明は以上に述べた実施形態に限られない。
【００５２】
例えば、天板の床面からの高さは、必ずしも変更可能でなくてもよいし、天板の床面からの高さ位置の変更を、電力により天板を支持する脚を伸縮させる天板昇降装置を用いる等、他の方法により行うようにしてもよい。
【００５３】
また、脚構造体は、必ずしも天板を支持する枠体を有する必要はない。例えば、天板下面の隅部から脚取付部材を外方に突出させて設け、この脚取付部材に脚を取り付けるように構成してもよい。このようなものであっても、脚又は脚の下端に取り付ける接地体の外縁の一部を平面視した場合に天板の外縁より外方に位置させていれば、この脚又は脚の下端に取り付ける接地体の外縁の一部を隣接して配置する天板付き家具の脚や間仕切要素等に衝き当てることにより、この天板付き家具の天板と、他の天板付き家具又は間仕切要素との間に配線挿通空間を形成でき、また他の天板付き家具又は間仕切要素との間の間隔を決定することができる。
【００５４】
さらに、アジャスタにアジャスタバンパを必ずしも設ける必要はなく、また、接地体がアジャスタ以外のもの、例えばキャスタ等であってもよいし、起立した姿勢に配置され天板を支持する脚の下端が床面に接するようにしてもよい。加えて、接地体以外の部位、例えば起立した姿勢に配置され天板を支持する脚の外縁部を平面視した場合に天板の外縁より外方に位置させてもよい。
【００５５】
一方、接地体の外縁の一部でなく、全部を平面視した場合に天板の外縁より外方に位置させてもよい。例えば、円柱状をなす脚から内方に天板支持部を突出させて設け、天板をこの天板支持部が保持するようにし、このような脚の下端部に脚と同心に平面視した場合に円形をなす接地体を設けて、さらに接地体の半径を脚の中心から天板までの最小距離よりも小さくした構成等、平面視した場合に脚の外縁全体を天板の外縁より外方に位置付け、このような脚の下端に接地体を設けるような構成であれば、接地体の外縁全体を天板の外縁より外方に位置させることができる。加えて、接地体の外縁の一部だけを平面視した場合に天板の外縁より外方に位置させる場合でも、接地体の外縁は上述した約１８０度又は約７８度の部分円弧である必要はなく、それ以外の角度の部分円弧でもよいし、多角形の外周の一部や部分楕円弧であってもよい。また、接地体は必ずしも円形状である必要はなく、天板の隅部に丸みをつける必要もない。
【００５６】
そして、脚構造体のうち床面に接する部位に対して水平方向の相対位置が固定された部位を１箇所でも天板の外縁より外方に位置させているものであれば、この部位を隣接して配置する天板付き家具の脚や間仕切要素等に衝き当てることにより、この天板付き家具の天板と、他の天板付き家具又は間仕切要素との間に配線挿通口を形成でき、また他の天板付き家具又は間仕切要素との間の間隔を決定することができる。
【００５７】
その他、本発明の趣旨を損ねない範囲で種々に変更してよい。
【００５８】
【発明の効果】
本発明に係る天板付き家具は、脚構造体の床面に接する部位に対する水平方向の位置を固定した部分の外縁部の少なくとも一部を平面視した場合に天板の外縁より外方に位置付けているので、当接対象物たる隣接して配置する他の家具又は壁体等との間の位置決めを行う機能も発揮するようにできるとともに、当接対象物にこの部分を衝き当て、天板の上方と下方とを連通する配線挿通空間を形成する機能を発揮するようにもできる。さらに、天板にもたれかかる等の作用によりこのような天板付き家具が移動しても、当接対象物との間に形成した前記配線挿通空間として利用できる隙間の形状が変化するだけであり、天板同士及び天板と前記間仕切装置や壁体等とを隙間なく衝き当てる態様と比較して隙間を目立ちにくくできる。また、このような天板付き家具に異形状の天板や高さの異なる天板を有する天板付き家具を配置した場合に発生する隙間も目立ちにくくできる。
【００５９】
すなわち、天板に新たに配線挿通口や隆起部を設けることなく、より自然な形状の天板により、このような天板付き家具を見栄えよく配置すること、天板付き家具の移動や異形状天板等との隣接配置等に伴い発生する隙間を目立ちにくくすること、及び天板の上方と下方とを連通する配線挿通空間を確保することを全て達成することができる。
【図面の簡単な説明】
【図１】本発明の第１実施形態に係る天板付き家具の全体斜視図。
【図２】同実施形態に係る天板付き家具の分解斜視図。
【図３】同実施形態に係る天板付き家具の平面図。
【図４】同実施形態に係る天板付き家具に用いる天板の平面図。
【図５】同実施形態に係る天板付き家具に用いるアジャスタ受けの正面図及び平面図。
【図６】同実施形態に係る天板付き家具に用いるアジャスタの中央縦断面図。
【図７】同実施形態に係る天板付き家具に用いるアジャスタ本体の正面図及び平面図。
【図８】同実施形態に係る天板付き家具に用いるアジャスタバンパの正面図及び平面図。
【図９】同実施形態に係る天板付き家具に用いるアジャスタカバーの正面図及び平面図。
【図１０】同実施形態に係る天板付き家具の配置の一例を示す図。
【図１１】同実施形態に係る天板付き家具の配置の他の一例を示す図。
【図１２】同実施形態に係る天板付き家具の配置の他の一例を示す図。
【図１３】本発明の第２実施形態に係る天板付き家具の全体斜視図。
【図１４】同実施形態に係る天板付き家具の平面図。
【図１５】同実施形態に係る天板付き家具に用いる天板の平面図。
【図１６】同実施形態に係る天板付き家具の配置の一例を示す図。
【図１７】同実施形態に係る天板付き家具の配置の他の一例を示す図。
【図１８】本発明の第１実施形態に係る天板付き家具と、本発明の第２実施形態に係る天板付き家具とをともに配置する態様の一例を示す図。
【符号の説明】
Ｔ１、Ｔ２…天板付き家具
１、１０…天板
１ａ、１０ａ…使用端縁（天板の外縁）
１ｂ、１０ｂ…反使用端縁（天板の外縁）
１ｃ、１０ｃ…側端縁（天板の外縁）
１ｄ、１０ｄ…コーナー部（天板の外縁）
２…脚構造体
３…枠体
５…アジャスタ（接地体）
５２…アジャスタバンパ
【図１】
2004166936.tif 000003
【図２】
2004166936.tif 000004
【図３】
2004166936.tif 000005
【図４】
2004166936.tif 000006
【図５】
2004166936.tif 000007
【図６】
2004166936.tif 000008
【図７】
2004166936.tif 000009
【図８】
2004166936.tif 000010
【図９】
2004166936.tif 000011
【図１０】
2004166936.tif 000012
【図１１】
2004166936.tif 000013
【図１２】
2004166936.tif 000014
【図１３】
2004166936.tif 000015
【図１４】
2004166936.tif 000016
【図１５】
2004166936.tif 000017
【図１６】
2004166936.tif 000018
【図１７】
2004166936.tif 000019
【図１８】
2004166936.tif 000020